(57)【要約】      （修正有）【課題】複数の情報に関する目盛の指示を容易に認識できる指標表示装置および電子時計を提供する。【解決手段】表示領域２２は、第１表示領域２２１と第２表示領域２２２とを備え、指針２１は、第１指示領域２１１と第２指示領域２１２とに区分けされ、第１表示領域２２１は第１表示色で、第２表示領域２２２は第２表示色で表示され、第１指示領域２１１は第１指示色で、第２指示領域２１２は第２指示色で表示され、第１指示色および第１表示色は、第１指示領域２１１が第１表示領域２２１に対して識別可能となる色であり、第２指示色および第２表示色は、第２指示領域２１２が第２表示領域２２２に対して識別可能となる色であり、第１指示色および第２表示色は、第１指示領域２１１が第２表示領域２２２に対して識別困難となる色であり、第２指示色および第１表示色は、第２指示領域２１２が第１表示領域２２１に対して識別困難となる色である。【選択図】図３
2018109553.tif 000002
【特許請求の範囲】
【請求項１】
第１情報および第２情報を含む複数の情報に関する目盛が表示される表示領域と、
前記目盛を指示する指針と、を備え、
前記表示領域は、前記第１情報に対応する第１表示領域と、前記第２情報に対応する第２表示領域とを備え、
前記指針は、当該指針の長さ方向において、第１指示領域と第２指示領域とに区分けされ、
前記第１表示領域は第１表示色で表示され、前記第２表示領域は第２表示色で表示され、前記第１指示領域は第１指示色で表示され、前記第２指示領域は第２指示色で表示され、
前記第１指示色および前記第１表示色は、前記第１指示領域が前記第１表示領域と重なる位置において、前記第１指示領域が前記第１表示領域に対して識別可能となる色であり、
前記第２指示色および前記第２表示色は、前記第２指示領域が前記第２表示領域と重なる位置において、前記第２指示領域が前記第２表示領域に対して識別可能となる色であり、
前記第１指示色および前記第２表示色は、前記第１指示領域が前記第２表示領域と重なる位置において、前記第１指示領域が前記第２表示領域に対して識別困難となる色であり、
前記第２指示色および前記第１表示色は、前記第２指示領域が前記第１表示領域と重なる位置において、前記第２指示領域が前記第１表示領域に対して識別困難となる色である
ことを特徴とする指標表示装置。
【請求項２】
請求項１に記載の指標表示装置において、
前記表示領域は、平面視で円形状に形成され、
前記第１表示領域および前記第２表示領域は、前記表示領域の中心から外周まで引かれる２本の半径で区画された各領域である
ことを特徴とする指標表示装置。
【請求項３】
請求項１に記載の指標表示装置において、
前記表示領域は、平面視で円形状に形成され、
前記第１表示領域および前記第２表示領域は、前記表示領域の外周円よりも直径の小さな同心円で内外に区画された各領域であり、
前記第１表示領域および前記第２表示領域に表記される前記目盛は、前記表示領域の円周方向において互いに異なる位置に配置されている
ことを特徴とする指標表示装置。
【請求項４】
請求項１に記載の指標表示装置において、
前記複数の情報は、第３情報および第４情報を含み、
前記表示領域は、第３情報に対応する第３表示領域と、第４情報に対応する第４表示領域とを備え、
前記指針は、当該指針の長さ方向において、前記第１指示領域と、前記第２指示領域と、第３指示領域と、第４指示領域とに区分けされ、
前記第１指示領域および前記第２指示領域は、前記第１表示領域および前記第２表示領域と重なる位置に移動可能であり、
前記第３指示領域および前記第４指示領域は、前記第３表示領域および前記第４表示領域と重なる位置に移動可能であり、
前記第３表示領域は第３表示色で表示され、前記第４表示領域は第４表示色で表示され、前記第３指示領域は第３指示色で表示され、前記第４指示領域は第４指示色で表示され、
前記第３指示色および前記第３表示色は、前記第３指示領域が前記第３表示領域と重なる位置において、前記第３指示領域が前記第３表示領域に対して識別可能となる色であり、
前記第４指示色および前記第４表示色は、前記第４指示領域が前記第４表示領域と重なる位置において、前記第４指示領域が前記第４表示領域に対して識別可能となる色であり、
前記第３指示色および前記第４表示色は、前記第３指示領域が前記第４表示領域と重なる位置において、前記第３指示領域が前記第４表示領域に対して識別困難となる色であり、
前記第４指示色および前記第３表示色は、前記第４指示領域が前記第３表示領域と重なる位置において、前記第４指示領域が前記第３表示領域に対して識別困難となる色であり、
前記第１指示領域が前記第１表示領域に重なる位置では、他の指示領域は識別困難となる他の表示領域に重なり、
前記第２指示領域が前記第２表示領域に重なる位置では、他の指示領域は識別困難となる他の表示領域に重なり、
前記第３指示領域が前記第３表示領域に重なる位置では、他の指示領域は識別困難となる他の表示領域に重なり、
前記第４指示領域が前記第４表示領域に重なる位置では、他の指示領域は識別困難となる他の表示領域に重なる
ことを特徴とする指標表示装置。
【請求項５】
第１情報および第２情報を含む複数の情報に関する目盛が表示される表示領域と、
前記第１情報に関する前記目盛を指示する第１指針および前記第２情報に関する前記目盛を指示する第２指針と、を備え、
前記表示領域は、前記第１情報に対応する第１表示領域と、前記第２情報に対応する第２表示領域とを備え、
前記第１表示領域は第１表示色で表示され、前記第２表示領域は第２表示色で表示され、
前記第１指針は、第１指示色で表示され、
前記第２指針は、第２指示色で表示され、
前記第１指示色および前記第１表示色は、前記第１指針が前記第１表示領域と重なる位置において、前記第１指針が前記第１表示領域に対して識別可能となる色であり、
前記第２指示色および前記第２表示色は、前記第２指針が前記第２表示領域と重なる位置において、前記第２指針が前記第２表示領域に対して識別可能となる色であり、
前記第１指示色および前記第２表示色は、前記第１指針が前記第２表示領域と重なる位置において、前記第１指針が前記第２表示領域に対して識別困難となる色であり、
前記第２指示色および前記第１表示色は、前記第２指針が前記第１表示領域と重なる位置において、前記第２指針が前記第１表示領域に対して識別困難となる色である
ことを特徴とする指標表示装置。
【請求項６】
請求項５に記載の指標表示装置において、
前記表示領域は、平面視で円形状に形成され、
前記第１表示領域および前記第２表示領域は、前記表示領域の中心から外周まで引かれる２本の半径で区画された各領域である
ことを特徴とする指標表示装置。
【請求項７】
請求項５に記載の指標表示装置において、
前記表示領域は、平面視で円形状に形成され、
前記第１表示領域および前記第２表示領域は、前記表示領域の外周円よりも直径の小さな同心円で内外に区画された各領域である
ことを特徴とする指標表示装置。
【請求項８】
第１情報、第２情報、第３情報および第４情報に関する目盛が表示される表示領域と、
前記第１情報および前記第２情報に関する前記目盛のそれぞれを指示する第１指針と、
前記第３情報および前記第４情報に関する前記目盛のそれぞれを指示する第２指針と、を備え、
前記表示領域は、前記第１情報に対応する第１表示領域と、前記第２情報に対応する第２表示領域と、前記第３情報に対応する第３表示領域と、前記第４情報に対応する第４表示領域とを備え、
前記第１指針は、当該第１指針の長さ方向において、第１指示領域と第２指示領域とに区分けされ、
前記第２指針は、当該第２指針の長さ方向において、第３指示領域と第４指示領域とに区分けされ、
前記第１表示領域は第１表示色で表示され、前記第２表示領域は第２表示色で表示され、前記第３表示領域は第３表示色で表示され、前記第４表示領域は第４表示色で表示され、
前記第１指示領域は第１指示色で表示され、前記第２指示領域は第２指示色で表示され、前記第３指示領域は第３指示色で表示され、前記第４指示領域は第４指示色で表示され、
前記第１指示色および前記第１表示色は、前記第１指示領域が前記第１表示領域と重なる位置において、前記第１指示領域が前記第１表示領域に対して識別可能となる色であり、
前記第２指示色および前記第２表示色は、前記第２指示領域が前記第２表示領域と重なる位置において、前記第２指示領域が前記第２表示領域に対して識別可能となる色であり、
前記第１指示色および前記第２表示色は、前記第１指示領域が前記第２表示領域と重なる位置において、前記第１指示領域が前記第２表示領域に対して識別困難となる色であり、
前記第２指示色および前記第１表示色は、前記第２指示領域が前記第１表示領域と重なる位置において、前記第２指示領域が前記第１表示領域に対して識別困難となる色であり、
前記第３指示色および前記第３表示色は、前記第３指示領域が前記第３表示領域と重なる位置において、前記第３指示領域が前記第３表示領域に対して識別可能となる色であり、
前記第４指示色および前記第４表示色は、前記第４指示領域が前記第４表示領域と重なる位置において、前記第４指示領域が前記第４表示領域に対して識別可能となる色であり、
前記第３指示色および前記第４表示色は、前記第３指示領域が前記第４表示領域と重なる位置において、前記第３指示領域が前記第４表示領域に対して識別困難となる色であり、
前記第４指示色および前記第３表示色は、前記第４指示領域が前記第３表示領域と重なる位置において、前記第４指示領域が前記第３表示領域に対して識別困難となる色である
ことを特徴とする指標表示装置。
【請求項９】
請求項１から請求項８のいずれか一項に記載の指標表示装置において、
前記識別困難な色となる各指示色および各表示色は、同一色である
ことを特徴とする指標表示装置。
【請求項１０】
請求項１から請求項９のいずれか一項に記載の指標表示装置を有することを特徴とする電子時計。
【発明の詳細な説明】
【技術分野】
【０００１】
本発明は、複数の指標を指示する指標表示装置および電子時計に関する。
【背景技術】
【０００２】
従来、複数の情報が文字板上に表示され、当該複数の情報を指針によって指示することにより、複数の情報を認識可能な時計が開示されている（例えば、特許文献１参照）。
上記特許文献１に記載の時計の文字板には、上記複数の情報として、現在時刻および地名（都市名）が表示されている。具体的に、上記文字板は、環状文字板、第１の文字板および第２の文字板を備え、第２の文字板は、当該文字板の略中央に位置し、「１」から「２４」までの数字が外周上に付されている。また、第１の文字板は、上記文字板の外周側に位置し、当該第１の文字板には、複数の地名（ニューヨーク等の都市名）が表示されている。環状文字板は、第１の文字板の外周側に位置する１２時間表示リングであり、時針、分針によって現時刻を指示するために用いられている。
【先行技術文献】
【特許文献】
【０００３】
【特許文献１】特表２０１４−５０８３０４号公報
【発明の概要】
【発明が解決しようとする課題】
【０００４】
ところで、上記特許文献１に記載の時計では、同一の指針によって、各文字板に表記された現在地の時刻、設定されたタイムゾーンの時刻、都市名を指示する。しかしながら、ユーザーが時計を視認した際に、指針の先端で指示される環状文字板の情報（現時刻）は視認しやすいが、指針の中間部分が重なる第１の文字板の地名や、第２の文字板の時刻表示は直感的に視認できない。
一方、異なる情報を別々の指針で指示するように構成した場合には、指針や文字板上の表記が多くなり、見やすさも改善されない。
すなわち、複数の情報が表示される文字板（目盛板）において、指針を見ることでいずれの情報が表示されているのかを容易に認識でき、かつ、当該複数の情報に関する目盛を認識しやすくできる指標表示装置が望まれている。
【０００５】
本発明の目的は、複数の情報のうちいずれの情報に関する目盛を指示しているのかを容易に認識できる指標表示装置および電子時計を提供することにある。
【課題を解決するための手段】
【０００６】
本発明の指標表示装置は、第１情報および第２情報を含む複数の情報に関する目盛が表示される表示領域と、前記目盛を指示する指針と、を備え、前記表示領域は、前記第１情報に対応する第１表示領域と、前記第２情報に対応する第２表示領域とを備え、前記指針は、当該指針の長さ方向において、第１指示領域と第２指示領域とに区分けされ、前記第１表示領域は第１表示色で表示され、前記第２表示領域は第２表示色で表示され、前記第１指示領域は第１指示色で表示され、前記第２指示領域は第２指示色で表示され、前記第１指示色および前記第１表示色は、前記第１指示領域が前記第１表示領域と重なる位置において、前記第１指示領域が前記第１表示領域に対して識別可能となる色であり、前記第２指示色および前記第２表示色は、前記第２指示領域が前記第２表示領域と重なる位置において、前記第２指示領域が前記第２表示領域に対して識別可能となる色であり、前記第１指示色および前記第２表示色は、前記第１指示領域が前記第２表示領域と重なる位置において、前記第１指示領域が前記第２表示領域に対して識別困難となる色であり、前記第２指示色および前記第１表示色は、前記第２指示領域が前記第１表示領域と重なる位置において、前記第２指示領域が前記第１表示領域に対して識別困難となる色であることを特徴とする。
【０００７】
なお、上記複数の情報としては、外気温、高度、紫外線強度、ユーザーの脈拍数、ユーザーの歩数およびユーザーの消費カロリー等の各種センサーの出力値や、センサーの出力値を５段階などにレベル化した数値を例示できる。また、上記目盛としては、数字を例示できる。
ここで、第１指示領域が前記第２表示領域に対して識別困難となる第１指示色および第２表示色としては、第１指示色および第２表示色が同一色であることが例示できるが、同一色に限定されず、互いの色差が小さい色でもよい。すなわち、指針が第１表示領域に重なった場合、第１指示領域の第１指示色が、第１表示色に対して反対色（補色）などの色差が大きい色であれば、ユーザーは第１指示領域を強く認識し、第２指示色が第１表示色と異なっていても例えば同系色のように色差が小さい場合には、第２指示領域を認識し難いためである。第２指示色および第１表示色も同様に同一色が好ましいが、同系色などの互いに色差が小さい色でもよい。
さらに、第１指示色と第１表示色とは反対色など色差が大きく、第１表示色に対して第１指示色が識別しやすい色が好ましい。第２指示色と第２表示色も同様に、色差が大きく、第２表示色に対して第２指示色が識別しやすい色が好ましい。
【０００８】
本発明では、第１表示領域に指針が位置する際には、第１指示領域が識別可能となり、第２表示領域に指針が位置する際には、第２指示領域が識別可能、すなわち、目立った表示となるので、指針の１つの指示領域（第１指示領域および第２指示領域のいずれか）により対応する情報に関する目盛を指示していることを容易に認識できる。従って、ユーザーは、文字板に表示される複数の情報のうちいずれの情報に関する目盛を指示しているのかを容易に認識できる。
また、１本の指針で第１情報および第２情報の２つの情報を指示することができ、２つの情報を指示する指針をそれぞれ設ける必要がないので、指標表示装置の指針の数を少なくでき、指標表示装置の部品点数を削減できる。
【０００９】
本発明の指標表示装置において、前記表示領域は、平面視で円形状に形成され、前記第１表示領域および前記第２表示領域は、前記表示領域の中心から外周まで引かれる２本の半径で区画された各領域であることが好ましい。
【００１０】
ここで、第１表示領域および第２表示領域は、それぞれ扇形等に形成される。また、各表示領域は、半円状に形成されて同じ面積のものでもよいし、中心角の大きさが異なる扇形に形成されて異なる面積で形成されたものでもよい。
第１表示領域および第２表示領域が２本の半径で分割されているので、指針は一方の表示領域のみに重なるように移動する。このため、指針が第１情報に関する目盛および第２情報に関する目盛のいずれを指しているのかを容易に認識できる。
【００１１】
本発明の指標表示装置において、前記表示領域は、平面視で円形状に形成され、前記第１表示領域および前記第２表示領域は、前記表示領域の外周円よりも直径の小さな同心円で内外に区画された各領域であり、前記第１表示領域および前記第２表示領域に表記される前記目盛は、前記表示領域の円周方向において互いに異なる位置に配置されていることが好ましい。
【００１２】
例えば、表示領域において、前記同心円の内側の領域を第１表示領域とし、外側の領域を第２表示領域とする。この場合、第１表示領域は、円形または円環状に形成され、第２表示領域は第１表示領域の外周側に円環状に形成される。
各表示領域は、同心円状に形成されているので、各表示領域の目盛を、円周方向に異なる位置であれば自由な位置に配置できる。例えば、第１表示領域の目盛を、表示領域の中心を挟んで上下２箇所に設け、第２表示領域の目盛を、左右２箇所に設けることもでき、目盛の配置の自由度を高めることができる。この場合、例えば、第１表示領域の上側の目盛で０ｍ以上の高度を指示し、下側の目盛で水深を指示したり、第２表示領域の左側の目盛で０度未満の温度を指示し、右側の目盛で０度以上の温度を指示することもできる。
【００１３】
本発明の指標表示装置において、前記複数の情報は、第３情報および第４情報を含み、前記表示領域は、第３情報に対応する第３表示領域と、第４情報に対応する第４表示領域とを備え、前記指針は、当該指針の長さ方向において、前記第１指示領域と、前記第２指示領域と、第３指示領域と、第４指示領域とに区分けされ、前記第１指示領域および前記第２指示領域は、前記第１表示領域および前記第２表示領域と重なる位置に移動可能であり、前記第３指示領域および前記第４指示領域は、前記第３表示領域および前記第４表示領域と重なる位置に移動可能であり、前記第３表示領域は第３表示色で表示され、前記第４表示領域は第４表示色で表示され、前記第３指示領域は第３指示色で表示され、前記第４指示領域は第４指示色で表示され、前記第３指示色および前記第３表示色は、前記第３指示領域が前記第３表示領域と重なる位置において、前記第３指示領域が前記第３表示領域に対して識別可能となる色であり、前記第４指示色および前記第４表示色は、前記第４指示領域が前記第４表示領域と重なる位置において、前記第４指示領域が前記第４表示領域に対して識別可能となる色であり、前記第３指示色および前記第４表示色は、前記第３指示領域が前記第４表示領域と重なる位置において、前記第３指示領域が前記第４表示領域に対して識別困難となる色であり、前記第４指示色および前記第３表示色は、前記第４指示領域が前記第３表示領域と重なる位置において、前記第４指示領域が前記第３表示領域に対して識別困難となる色であり、前記第１指示領域が前記第１表示領域に重なる位置では、他の指示領域は識別困難となる他の表示領域に重なり、前記第２指示領域が前記第２表示領域に重なる位置では、他の指示領域は識別困難となる他の表示領域に重なり、前記第３指示領域が前記第３表示領域に重なる位置では、他の指示領域は識別困難となる他の表示領域に重なり、前記第４指示領域が前記第４表示領域に重なる位置では、他の指示領域は識別困難となる他の表示領域に重なることが好ましい。
【００１４】
このような構成によれば、第１〜第４指示領域のそれぞれが第１〜第４情報のそれぞれに対応する位置に上記指針が位置する際に、当該指針において第１〜第４情報に関する目盛を指示する指示領域のみを目立たせることができる。また、指針が１つの情報（例えば、第１情報）に対応する領域（例えば、第１表示領域）に位置する際に、１つの情報を指示する領域（例えば、第１指示領域）以外の領域（第２指示領域、第３指示領域および第４指示領域）は、第２表示領域、第３表示領域および第４表示領域のそれぞれによって認識困難となるので、当該指針が第１〜第４指示領域の４つに区分されている場合であっても、いずれの情報に関する目盛を指示しているのかを容易に認識できる。
さらに、１つの指針によって４つの情報に関する目盛をそれぞれ指示できるので、４つの指針を設け、それぞれの指針により各情報に関する目盛を指示する場合に比べて、指針の数を少なくできる。
【００１５】
本発明の指標表示装置は、第１情報および第２情報を含む複数の情報に関する目盛が表示される表示領域と、前記第１情報に関する前記目盛を指示する第１指針および前記第２情報に関する前記目盛を指示する第２指針と、を備え、前記表示領域は、前記第１情報に対応する第１表示領域と、前記第２情報に対応する第２表示領域とを備え、前記第１表示領域は第１表示色で表示され、前記第２表示領域は第２表示色で表示され、前記第１指針は、第１指示色で表示され、前記第２指針は、第２指示色で表示され、前記第１指示色および前記第１表示色は、前記第１指針が前記第１表示領域と重なる位置において、前記第１指針が前記第１表示領域に対して識別可能となる色であり、前記第２指示色および前記第２表示色は、前記第２指針が前記第２表示領域と重なる位置において、前記第２指針が前記第２表示領域に対して識別可能となる色であり、前記第１指示色および前記第２表示色は、前記第１指針が前記第２表示領域と重なる位置において、前記第１指針が前記第２表示領域に対して識別困難となる色であり、前記第２指示色および前記第１表示色は、前記第２指針が前記第１表示領域と重なる位置において、前記第２指針が前記第１表示領域に対して識別困難となる色であることを特徴とする。
【００１６】
本発明では、第１指針で第１表示領域の目盛を指示でき、第２指針で第２表示領域の目盛を指示できるため、同時に２つの情報を指示することができる。また、第１指針を第２表示領域に移動したり、第２指針を第１表示領域に移動すれば、各指針が識別困難となって目立たないようにできるため、一方の情報のみを表示する場合も容易に対応できる。
【００１７】
本発明の指標表示装置において、前記表示領域は、平面視で円形状に形成され、前記第１表示領域および前記第２表示領域は、前記表示領域の中心から外周まで引かれる２本の半径で区画された各領域であることが好ましい。
第１表示領域および第２表示領域が２本の半径で分割されているので、各指針は各表示領域のみに重なるように移動できる。このため、各指針が指示する目盛を容易に認識できる。
【００１８】
本発明の指標表示装置において、前記表示領域は、平面視で円形状に形成され、前記第１表示領域および前記第２表示領域は、前記表示領域の外周円よりも直径の小さな同心円で内外に区画された各領域であることが好ましい。
【００１９】
例えば、表示領域において、前記同心円の内側の領域を第１表示領域とし、外側の領域を第２表示領域とする。この場合、第１表示領域は、円形または円環状に形成され、第２表示領域は第１表示領域の外周側に円環状に形成される。
各表示領域は、同心円状に形成されているので、各表示領域の目盛を第１表示領域および第２表示領域の略全領域に表示させることができる。これによれば、例えば、第１表示領域および第２表示領域が上記２本の半径で分割されている場合に比べて、詳細な目盛を各表示領域に表示させることができる。
【００２０】
本発明の指標表示装置は、第１情報、第２情報、第３情報および第４情報に関する目盛が表示される表示領域と、前記第１情報および前記第２情報に関する前記目盛のそれぞれを指示する第１指針と、前記第３情報および前記第４情報に関する前記目盛のそれぞれを指示する第２指針と、を備え、前記表示領域は、前記第１情報に対応する第１表示領域と、前記第２情報に対応する第２表示領域と、前記第３情報に対応する第３表示領域と、前記第４情報に対応する第４表示領域とを備え、前記第１指針は、当該第１指針の長さ方向において、第１指示領域と第２指示領域とに区分けされ、前記第２指針は、当該第２指針の長さ方向において、第３指示領域と第４指示領域とに区分けされ、前記第１表示領域は第１表示色で表示され、前記第２表示領域は第２表示色で表示され、前記第３表示領域は第３表示色で表示され、前記第４表示領域は第４表示色で表示され、前記第１指示領域は第１指示色で表示され、前記第２指示領域は第２指示色で表示され、前記第３指示領域は第３指示色で表示され、前記第４指示領域は第４指示色で表示され、前記第１指示色および前記第１表示色は、前記第１指示領域が前記第１表示領域と重なる位置において、前記第１指示領域が前記第１表示領域に対して識別可能となる色であり、前記第２指示色および前記第２表示色は、前記第２指示領域が前記第２表示領域と重なる位置において、前記第２指示領域が前記第２表示領域に対して識別可能となる色であり、前記第１指示色および前記第２表示色は、前記第１指示領域が前記第２表示領域と重なる位置において、前記第１指示領域が前記第２表示領域に対して識別困難となる色であり、前記第２指示色および前記第１表示色は、前記第２指示領域が前記第１表示領域と重なる位置において、前記第２指示領域が前記第１表示領域に対して識別困難となる色であり、前記第３指示色および前記第３表示色は、前記第３指示領域が前記第３表示領域と重なる位置において、前記第３指示領域が前記第３表示領域に対して識別可能となる色であり、前記第４指示色および前記第４表示色は、前記第４指示領域が前記第４表示領域と重なる位置において、前記第４指示領域が前記第４表示領域に対して識別可能となる色であり、前記第３指示色および前記第４表示色は、前記第３指示領域が前記第４表示領域と重なる位置において、前記第３指示領域が前記第４表示領域に対して識別困難となる色であり、前記第４指示色および前記第３表示色は、前記第４指示領域が前記第３表示領域と重なる位置において、前記第４指示領域が前記第３表示領域に対して識別困難となる色であることを特徴とする。
【００２１】
本発明によれば、第１指針が第１指示領域および第２指示領域を備え、第２指針が第３指示領域および第４指示領域を備えているので、２つの指針により４つの表示領域のそれぞれを指示でき、同時に２つの情報に関する目盛を指示できる。これによれば、例えば、１つの指針にて４つの表示領域に表示される各情報の目盛のそれぞれを指示する場合に比べて、２つの情報を同時に指示できるので、ユーザーの利便性を向上できる。
また、４つの表示領域のそれぞれを指示する４つの指針を備えている場合に比べて、指針の数を半分にできるので、部品点数を削減できる。
【００２２】
本発明の指標表示装置において、前記識別困難な色となる各指示色および各表示色は、同一色であることが好ましい。
例えば、第１指示色と第２表示色とを同一色（例えば赤）に設定し、第２指示色と第１表示色とを、第１指示色や第２表示色とは異なる同一色（例えば青）に設定すれば、第１指示領域と第２表示領域とや、第２指示領域と第１表示領域とを確実に識別困難な状態にできる。また、塗装時に用意する塗料の種類を少なくでき、コストも低減できる。
【００２３】
本発明の電子時計は、上記指標表示装置を有することを特徴とする。
本発明によれば、電子時計の指標表示装置によって、温度計や紫外線センサーなどの複数のセンサーの出力値を指示できる。このため、電子時計のユーザーに対して、複数の情報を容易に通知できる。また、複数の情報を指示する指針の本数を少なくできるため、指針を駆動する駆動機構等の部品も少なくでき、腕時計のような小型の電子時計にも容易に組み込むことができる。
【図面の簡単な説明】
【００２４】
【図１】本発明の第１実施形態に係る電子時計の正面図。
【図２】上記第１実施形態に係る電子時計の概略構成を示すブロック図。
【図３】上記第１実施形態に係る電子時計の指標表示部における表示領域の第１表示領域を指示する例を示す図。
【図４】上記第１実施形態に係る指標表示部における表示領域の第２表示領域を指示する例を示す図。
【図５】本発明の第２実施形態に係る電子時計の指標表示部を示す平面図。
【図６】本発明の第３実施形態に係る電子時計の指標表示部を示す平面図。
【図７】本発明の第４実施形態に係る電子時計の指標表示部の第１表示領域を指示する一例を示す図。
【図８】上記第４実施形態に係る電子時計の指標表示部の第２表示領域を指示する一例を示す図。
【図９】上記第４実施形態に係る電子時計の指標表示部の第３表示領域を指示する一例を示す図。
【図１０】上記第４実施形態に係る電子時計の指標表示部の第４表示領域を指示する一例を示す図。
【図１１】本発明の第５実施形態に係る電子時計の指標表示部を示す平面図。
【図１２】本発明の第６実施形態に係る電子時計の指標表示部を示す平面図。
【図１３】本発明の第７実施形態に係る電子時計の指標表示部を示す平面図。
【図１４】本発明の第８実施形態に係る電子時計の指標表示部の第１表示領域および第４表示領域を指示する一例を示す図。
【図１５】上記第８実施形態に係る電子時計の指標表示部の第２表示領域および第３表示領域を指示する一例を示す図。
【図１６】本発明の第９実施形態に係る電子時計を示す平面図。
【発明を実施するための形態】
【００２５】
［第１実施形態］
以下本発明の第１実施形態について、図面を用いて説明する。
［電子時計の概略構成］
図１は、電子時計１の正面図である。
電子時計１は、ユーザーの手首に装着される腕時計である。このような電子時計１は、時刻を表示する時刻表示部１０および日表示部１５を備える。この時刻表示部１０は、時針１１、分針１２、秒針１３および文字板１４を備えることにより、時刻を表示する。また、日表示部１５は、カレンダー小窓１５１およびカレンダー車１５２を備えることにより、日を表示する。
さらに、このような電子時計１は、複数の情報を表示する指標表示部２０を備える。この指標表示部２０は、詳しくは後述するが、第１情報および第２情報を含む複数の情報に関する目盛が表示される表示領域２２と、目盛を指示する第１指針２１と、を備え、表示領域２２において、第１表示領域２２１は、第１表示色にて表示され、第２表示領域２２２は、第２表示色にて表示される。
そして、第１指針２１は、当該第１指針２１の先端側に位置し、第１指示色にて表示される第１指示領域２１１（図３参照）と、当該第１指針２１の回転軸側に位置し、第２指示色にて表示される第２指示領域２１２（図３参照）と、を備えている。そして、第１指示色は、第２表示色と重なる位置において識別困難な色であり、かつ、第１表示色と重なる位置において識別可能な色であり、第２指示色は、第１表示色と重なる位置において識別困難な色であり、かつ、第２表示色と重なる位置において識別可能な色であることを特徴の１つとしている。
【００２６】
［外装構成］
電子時計１は、導電性材料で形成された外装ケース３０を備える。この外装ケース３０は、略リング状に形成されたケーシング（胴）３１と、ケーシング３１の裏面側に着脱可能に取り付けられた図示略の裏蓋と、ケーシング３１の表面側に位置するカバーガラス３２と、を備える。
また、外装ケース３０の側面には、Ａボタン４３１、Ｂボタン４３２およびリューズ４３３が設けられている。Ａボタン４３１は、外装ケース３０における文字板１４の平面中心より、２時方向の位置に設けられ、Ｂボタン４３２は、４時方向の位置に設けられ、リューズ４３３は、３時方向の位置に設けられている。
【００２７】
［内部構成］
図２は、電子時計の概略構成を示すブロック図である。
外装ケース３０内には、図２に示すように、二次電池１６、充電回路１７、太陽電池１８、計時装置４１、記憶装置４２、操作装置４３、駆動機構５０、センサー部６０および制御装置７０が収容されている。
二次電池１６は、リチウムイオン電池により構成され、電子時計１の電源として機能する。二次電池１６は、充電回路１７を介して太陽電池１８が発電した電力によって充電される。
なお、電子時計１は、二次電池１６に代えて一次電池を備えていてもよい。この場合、充電回路１７および太陽電池１８は不要である。
【００２８】
計時装置４１は、水晶振動子等を備え、水晶振動子の発振信号に基づく基準信号を用いて時刻を計時する。
記憶装置４２は、ＲＡＭ（Random Access Memory）やＲＯＭ（Read Only Memory）にて構成され、制御装置７０が実行するプログラムや、プログラムの実行に必要なデータ等が記憶される。また、記憶装置４２には、後述するセンサー部６０により検出された各種情報が記憶される。なお、記憶装置４２は、制御装置７０の内部に設けられていてもよい。
【００２９】
［操作装置の構成］
操作装置４３は、上述したＡボタン４３１、Ｂボタン４３２およびリューズ４３３を備える。操作装置４３は、Ａボタン４３１、Ｂボタン４３２、リューズ４３３の操作を検出し、その操作に応じた操作信号を制御装置７０に出力する。なお、操作装置４３は、上記各ボタン４３１，４３２およびリューズ４３３を有する構成に限らず、当該電子時計１に通信可能に接続される電子機器に設けられる操作手段で構成されてもよい。例えば、スマートフォンやタブレットの表示部上に配置されるタッチパネルにより構成されてもよい。
【００３０】
［駆動機構の構成］
駆動機構５０は、４つのステップモーター５１と、歯車等の輪列とを有し、制御装置７０の表示制御部７３によって制御される。
具体的には、駆動機構５０は、第１〜第４駆動機構を備え、当該第１〜第４駆動機構のそれぞれは、ステップモーター５１と上記歯車等の輪列を有する。第１駆動機構は時針１１および分針１２を駆動し、第２駆動機構は秒針１３を駆動し、第３駆動機構はカレンダー車１５２を駆動し、第４駆動機構は、第１指針２１を駆動する。
【００３１】
［センサー部の構成］
センサー部６０は、図２に示すように、温度センサー６１及び紫外線センサー６２を備える。
温度センサー６１は、サーミスタ等により構成され、温度センサー６１が設けられた空間の温度（例えば電子時計を装着したユーザーが屋外にいれば外気温）を検出する。
紫外線センサー６２は、光の波長領域における紫外線領域波長（１０〜４００ｎｍ）の光を検出する。
これら温度センサー６１及び紫外線センサー６２により検出された検出結果情報は、所定のタイミング（例えば、１分毎）で記憶装置４２に記憶される。
【００３２】
［制御装置の構成］
制御装置７０は、ＣＰＵ（Central Processing Unit）を備えて構成され、記憶装置４２に記憶されたプログラムを実行することにより、電子時計１の動作を制御する。例えば、制御装置７０は、センサー部６０の温度センサー６１及び紫外線センサー６２により検出された検出結果情報を取得し、当該検出結果情報に基づいた複数の情報を指標表示部２０に表示させる。
制御装置７０は、図２に示すように、モード設定部７１、情報取得部７２および表示制御部７３を備える。
【００３３】
モード設定部７１は、ユーザーの操作装置４３の操作に基づき、指標表示部２０により表示される情報の表示モードを設定する。具体的に、モード設定部７１は、温度を表示する温度表示モードおよび紫外線量を表示する紫外線表示モードを設定する。
情報取得部７２は、上記モード設定部７１により設定された検出結果をセンサー部６０から取得する。例えば、情報取得部７２は、温度センサー６１および紫外線センサー６２により検出され、記憶装置４２に記憶された検出結果情報を取得する。
表示制御部７３は、情報取得部７２により取得された検出結果情報を、駆動機構５０を制御することにより、指標表示部２０に表示させる。
【００３４】
［指標表示部の構成］
図３は、指標表示部２０における表示領域２２の第２表示領域２２２を指示する例を示す図であり、図４は、指標表示部２０における表示領域２２の第１表示領域２２１を指示する例を示す図である。
指標表示部２０は、図１に示すように、文字板１４における６時方向に位置し、図３および図４に示すように、第１指針２１および表示領域２２を備える。この指標表示部２０は、本発明の指標表示装置に相当する。
【００３５】
［第１指針の構成］
第１指針２１は、長さ方向において区分けされた複数の領域を有し、各領域で異なる色にて表示されている指針である。この第１指針２１は、先端側に位置する第１指示領域２１１と、回転軸側に位置する第２指示領域２１２とを有する。
第１指示領域２１１は、第１指示色にて表示され、第２指示領域２１２は、第２指示色にて表示されている。本実施形態では、第１指示色は、青色であり、第２指示色は、赤色である。また、これら第１指示領域２１１の第１指示色と、第２指示領域２１２の第２指示色とは、反対色等であることが好ましい。
【００３６】
［表示領域の構成］
表示領域２２は、平面視で、上記文字板１４における第１指針２１の回転軸を中心とする円形状に形成された１つの閉じられた領域である。この表示領域２２は、表示領域２２の中心Ｃから１２時方向に延びる線分（半径）と、当該中心から６時方向に延びる線分（半径）とにより区画され、一方側（左側）に位置する半円状の第１表示領域２２１および他方側（右側）に位置する半円状の第２表示領域２２２を有する。
【００３７】
［第１表示領域の構成］
第１表示領域２２１は、温度（第１情報）の目盛Ｓ１が表示される領域である。この第１表示領域２２１は、第１表示色にて表示され、本実施形態では、赤色にて表示されている。すなわち、第１表示領域２２１は、上記第１指針２１の第２指示領域２１２と同じ色にて表示されている。この第１表示領域２２１には、温度の目盛Ｓ１（「−１０」、「０」、「１０」、「２０」、「３０」、「４０」、「５０」の数字）が表示されている。
この目盛Ｓ１は、第１指針２１が第１表示領域２２１内を移動した際に、第１指針２１の第１指示領域２１１の軌跡上に位置する。すなわち、目盛Ｓ１は、第１表示領域２２１において、表示領域２２の中心Ｃの同心円上に位置する。
【００３８】
［第２表示領域の構成］
第２表示領域２２２は、紫外線（第２情報）の目盛Ｓ２が表示される領域である。この第２表示領域２２２は、第２表示色にて表示され、本実施形態では、青色にて表示されている。すなわち、第２表示領域２２２は、上記第１指針２１の第１指示領域２１１と同じ色にて表示されている。また、第２表示領域２２２には、紫外線の目盛Ｓ２（「１」〜「１５」の数字）が表示されている。
この目盛Ｓ２は、第１指針２１が第２表示領域２２２内を移動した際に、第１指針２１の第１指示領域２１１および第２指示領域２１２の境界線の軌跡上に位置する。すなわち、目盛Ｓ２は、第２表示領域２２２において、表示領域２２の中心Ｃの同心円上に位置し、かつ、上記目盛Ｓ１よりも内側に位置する。
【００３９】
［目盛の構成］
目盛Ｓ１は、上述したように第１表示領域２２１に位置し、第１指針２１の第１指示領域２１１の先端により指示される。この目盛Ｓ１は、「−１０」、「０」、「１０」、「２０」、「３０」、「４０」、「５０」の数字により構成され、温度（℃）を示している。例えば、第１指針２１の第１指示領域２１１が「２０」を指示していれば、ユーザーは、温度が２０℃であることを認識できる。
目盛Ｓ２は、上述したように第２表示領域２２２に位置し、第１指針２１の第２指示領域２１２により指示される。この目盛Ｓ２は、「１」〜「１５」の数字により構成され、紫外線の強さを指標化したＵＶインデックスを示している。例えば、第１指針２１の第２指示領域２１２が「１５」を指示していれば、ユーザーは、紫外線量が極めて高いことを認識でき、第１指針２１の第２指示領域２１２が「１」を指示していれば、ユーザーは、紫外線量が極めて低いことを認識できる。
【００４０】
［指標表示部の表示態様］
操作装置４３の操作に基づいて、表示制御部７３は、情報取得部７２により取得された検出結果情報を、駆動機構５０を制御することにより、指標表示部２０に表示させる。例えば、操作装置４３の操作に基づいて、紫外線表示モードが選択されている場合、表示制御部７３は、図３に示すように、第１指針２１を第２表示領域２２２に移動し、紫外線（第２情報）の目盛Ｓ２のいずれかを指示する位置へと移動させる。
【００４１】
この状態において、ユーザーの操作装置４３の操作（例えば、Ａボタン４３１を押下する操作）が実行されると、表示制御部７３は、図４に示すように、第１指針２１を第１表示領域２２１に移動し、温度（第１情報）の目盛Ｓ１のいずれかを指示する位置へと移動させる。
【００４２】
ここで、本実施形態では、第１指針２１の第１指示領域２１１の第１指示色は青色であり、第２指示領域２１２の第２指示色は赤色である。このため、第１指針２１が第１表示領域２２１に位置する際には、第２指示領域２１２は、第１表示領域２２１の赤色と同じ色であるために識別困難となる。このため、第１表示領域２２１に第１指針２１が位置する際には、青色にて表示される第１指示領域２１１が識別可能となるので、図４に示すように、第１指示領域２１１（第１指針２１の先端部）が目盛Ｓ１を指示することで、ユーザーは気温等を認識できる。
一方、第１指針２１が第２表示領域２２２に位置する際には、第１指示領域２１１は、第２表示領域２２２の青色と同じ色となることから、識別困難となる。このため、第２表示領域２２２に第１指針２１が位置する際には、赤色にて表示される第２指示領域２１２が識別可能となるので、図３に示すように、第２指示領域２１２の先端部を第１指針２１の先端であるかのようにユーザーに認識させることができる。第２指示領域２１２の先端部が目盛Ｓ２を指示することで、ユーザーは紫外線量を認識できる。
【００４３】
［第１実施形態の効果］
以上説明した本実施形態に係る電子時計１は、以下の効果を奏する。
本実施形態では、第１表示領域２２１に指針２１が位置する際には、第１指示領域２１１が識別可能となり、第２表示領域２２２に指針２１が位置する際には、第２指示領域２１２が識別可能、すなわち、目立った表示となるので、指針の１つの指示領域（第１指示領域２１１および第２指示領域２１２のいずれか）により対応する情報に関する目盛を指示していることを容易に認識できる。従って、ユーザーは、文字板１４（表示領域２２）に表示される複数の情報のうちいずれの情報に関する目盛Ｓ１，Ｓ２を指示しているのかを容易に認識できる。
また、１本の指針２１で第１情報（温度）および第２情報（紫外線量）の２つの情報を指示することができ、２つの情報を指示する指針をそれぞれ設ける必要がないので、指標表示部２０の指針の数を少なくでき、指標表示部２０の部品点数を削減できる。
【００４４】
ここで、第１表示領域２２１および第２表示領域２２２が２本の半径で分割されているので、指針２１は一方の表示領域のみに重なるように移動する。このため、指針２１が第１情報（温度）に関する目盛Ｓ１および第２情報（紫外線）に関する目盛Ｓ２のいずれを指しているのかを容易に認識できる。
【００４５】
［第２実施形態］
次に、本発明の第２実施形態について、図５を用いて説明する。
本発明の第２実施形態に係る電子時計は、上記第１実施形態に係る電子時計１と略同様の構成を備える他、上記指標表示部２０とは異なる指標表示部を備える。この指標表示部が第３表示領域を有する点で、上記第１実施形態に係る指標表示部２０と相違する。
なお、以下の説明では、既に説明した部分と同一または略同一である部分については、同一の符号を付して説明を簡略化または省略する。
【００４６】
図５は、本実施形態に係る電子時計の指標表示部２０Ａを示す平面図である。指標表示部２０Ａは、第１指針２１、表示領域２２Ａおよび２４時針２３を備える。
【００４７】
表示領域２２Ａは、第１表示領域２２１および第２表示領域２２２を備える他、第３表示領域２２５を有する。
また、第３表示領域２２５は、平面視で、表示領域２２Ａの中心Ｃを中心とする円形状に形成される。この第３表示領域２２５の１２時方向には、「０」が表示され、３時方向には「６」が表示され、６時方向には「１２」が表示され、９時方向には「１８」が表示されている。
【００４８】
第３表示領域２２５の中心Ｃには、第１指針２１の回転軸と同軸に設けられた２４時針２３の回転軸が位置する。２４時針２３は、第１指針２１と独立して駆動され、２４時間で１回転し、操作装置４３の操作によって設定されたタイムゾーンの時を指示する。なお、タイムゾーンは一般的に１時間毎に設定されるため、分の情報は分針１２により確認できる。
第１指針２１による温度指示や紫外線量の指示は第１実施形態と同一であるため、説明は省略する。
【００４９】
［第２実施形態の効果］
以上説明した本実施形態に係る電子時計は、上記電子時計１と同様の効果を奏する他、以下の効果を奏する。
第３表示領域２２５および２４時針２３を設けたので、時針１１、分針１２で指示する現在時刻とは別のタイムゾーンの時刻を指示できる。従って、ユーザーの利便性を高めることができる。
第３表示領域２２５および２４時針２３は、表示領域２２Ａ内に設けているので、他の場所に設ける場合に比べて、省スペース化を図ることができる。
【００５０】
［第３実施形態］
次に、本発明の第３実施形態について、図６を用いて説明する。
本発明の第３実施形態に係る電子時計は、上記第１実施形態に係る電子時計１と略同様の構成を備える他、上記指標表示部２０とは異なる指標表示部を備える。この指標表示部における表示領域が円環状に形成され、かつ、上記第３表示領域を備える点、および、制御装置７０が解析部を備える点で、本実施形態に係る電子時計と上記第１実施形態に係る電子時計１とは相違する。
なお、以下の説明では、既に説明した部分と同一又は略同一である部分については、同一の符号を付して説明を簡略化または省略する。
【００５１】
本実施形態の制御装置７０は、解析部（図示省略）を備える。この解析部は、情報取得部７２により取得された検出結果情報に基づいて、紫外線量を予め設定された５段階（「１」〜「５」）のうち、いずれの段階に位置するかを判定する。例えば、解析部は、取得した紫外線量が極めて高い場合には、「５」と判定し、取得した紫外線量が極めて低い場合には「１」と判定する。
【００５２】
図６は、本実施形態に係る電子時計の指標表示部２０Ｂを示す平面図である。
本実施形態に係る電子時計は、上記指標表示部２０に代えて、指標表示部２０Ｂを有する。この指標表示部２０Ｂは、図６に示すように、第１指針２１Ｂ、表示領域２２Ｂおよび２４時針２３Ｂを備える。
第１指針２１Ｂは、第１指示領域２１１Ｂおよび第２指示領域２１２Ｂを有する。この第１指示領域２１１Ｂは、第１指針２１Ｂの先端側に位置し、第２指示領域２１２Ｂは、当該第１指針２１Ａの回転軸側に位置する。また、第１指示領域２１１Ｂの第１指示色は、青色にて表示され、第２指示領域２１２Ｂの第２指示色は、赤色にて表示されている。
また、第１指針２１Ｂの先端部（第１指示領域２１１Ｂ）は、表示領域２２Ｂの外周に向かうに従って幅寸法が小さくなっている。
さらに、第２指示領域２１２Ｂにおける第１指示領域２１１Ｂとの境界は、上記第１指針２１Ｂの先端部と同様に、外周側に向かうに従って幅寸法が小さくなっている。このように第１指示領域２１１Ｂおよび第２指示領域２１２Ｂが構成されていることから、当該第１指示領域２１１Ｂおよび第２指示領域２１２Ｂにより目盛Ｓ３，Ｓ４を細かく指示できる。
【００５３】
表示領域２２Ｂは、表示領域２２Ｂの中心Ｃを中心とする同心円２３１、２３２により、第１表示領域２２１Ｂ、第２表示領域２２２Ｂおよび第３表示領域２２５の３つの領域に区分されている。これらのうち、第１表示領域２２１Ｂ及び第２表示領域２２２Ｂは、表示領域２２Ｂの外周円よりも直径の小さな同心円２３１で内外に区画された各領域である。
具体的に、第１表示領域２２１Ｂは、同心円２３１の外側に位置し、平面視で円環状に形成されている。第２表示領域２２２Ｂは、同心円２３１と同心円２３２との間に位置し、平面視で円環状に形成されている。第３表示領域２２５は、同心円２３２の内側に位置し、平面視で円板状に形成されている。
温度の目盛Ｓ３が表示される第１表示領域２２１Ｂは、第１表示色にて表示され、紫外線の目盛Ｓ４が表示される第２表示領域２２２Ｂは、第２表示色にて表示される。なお、本実施形態では、上記各実施形態と同様に、第１表示色は赤色であり、第２表示色は青色である。
【００５４】
第１表示領域２２１Ｂに表示される目盛Ｓ３は、「−１０」〜「５０」までの５度刻みの数字により構成され、第１表示領域２２１Ｂの略６時位置から９時位置、１２時位置を経由し、略３時位置まで円弧状に位置している（表記されている）。すなわち、目盛Ｓ３の円周方向の寸法は、上記目盛Ｓ１の寸法よりも大きい。
一方、第２表示領域２２２Ｂに表示される目盛Ｓ４は、「１」〜「５」までの数字により構成され、第２表示領域２２２Ｂの３時位置から６時位置まで円弧状に位置している。すなわち、この目盛Ｓ４の円周方向の寸法は、上記第２実施形態における目盛Ｓ２の寸法よりも小さい。
したがって、目盛Ｓ３と目盛Ｓ４とは、表示領域２２Ｂの円周方向において互いに異なる位置、つまり目盛Ｓ３の円周方向の角度範囲と目盛Ｓ４の円周方向の角度範囲とが重ならないように構成されている。
【００５５】
第３表示領域２２５は、上記第２実施形態における第３表示領域２２５と同一の構成であるため説明を省略する。なお、２４時針２３Ｂは、第１指針２１Ｂと同様に、表示領域２２Ｂの外周に向かうに従って幅寸法が小さくなっている。
【００５６】
本実施形態では、青色の第１指示領域２１１Ｂは常に赤色の第１表示領域２２１Ｂに位置しているので、第１表示領域２２１Ｂのいずれの位置に目盛Ｓ３が位置した場合であっても、当該目盛Ｓ３を確実に指示できる。また、赤色の第２指示領域２１２Ｂが常に青色の第２表示領域２２２Ｂに位置しているので、第２表示領域２２２Ｂのいずれの位置に目盛Ｓ４が位置した場合であっても、当該目盛Ｓ４を確実に指示できる。また、各目盛Ｓ３，Ｓ４は、円周方向において異なる位置に設けられているので、第１指針２１Ｂが一方の目盛を指示する位置にある場合、他方の目盛を指示することはないので、ユーザーはどちらの目盛が指示されているかを容易に認識できる。
【００５７】
［第３実施形態の効果］
以上説明した本実施形態に係る電子時計は、上記電子時計１と同様の効果を奏する他、以下の効果を奏する。
第１表示領域２２１Ｂおよび第２表示領域２２２Ｂが円環状に形成されているので、各表示領域２２１Ｂ，２２２Ｂのそれぞれに表示される目盛Ｓ３，Ｓ４が中心Ｃから見た場合にこれらが重ならない範囲において、各目盛Ｓ３，Ｓ４の配置範囲を自在に設定でき、かつ、当該目盛の位置を３６０°の範囲内において自在に設定できる。従って、表示領域２２Ｂにおける各目盛Ｓ３，Ｓ４を配置する自由度を高めることができる。
また、第１指示領域２１１Ｂ、第２指示領域２１２Ｂおよび２４時針２３Ｂの先端部が表示領域２２Ｂの外周側（先端側）に向かうに従って小さくなっているので、これらが指示する目盛Ｓ３，Ｓ４および上記数字を細かく指示できる。
【００５８】
［第４実施形態］
次に、本発明の第４実施形態について、図７〜図１０を用いて説明する。
本発明の第４実施形態に係る電子時計は、上記第１実施形態に係る電子時計１と略同様の構成を備え、上記指標表示部２０とは異なる指標表示部２０Ｃを備える。この指標表示部２０Ｃが４つの表示領域を備える点で、本実施形態に係る電子時計と上記第１実施形態に係る電子時計１とは相違する。
なお、以下の説明では、既に説明した部分と同一または略同一である部分については、同一の符号を付して説明を簡略化または省略する。
【００５９】
本実施形態では、センサー部６０は、上記温度センサー６１及び紫外線センサー６２の他、図示を省略するが、制御装置７０によって制御される加速度センサー、脈拍センサーおよび高度センサーを備える。
加速度センサーは、電子時計１（当該電子時計１を装着したユーザー）の加速度を検出し、当該検出された検出信号を制御装置７０に出力する。この加速度センサーを用いることで、ユーザーの歩数などを求めることもできる。
脈拍センサーは、ユーザーの脈動が反映された脈拍信号を検出し、当該脈拍信号を制御装置７０に出力する。この脈拍センサーは、例えば、ＬＥＤ（Light Emitting Diode）およびフォトダイオードを備え、ＬＥＤから出射され、ユーザーの手首で反射された反射光をフォトダイオードによって受光することで、ユーザーの脈動が反映された上記脈拍信号を検出する。
高度センサーは、圧力センサーにより構成され、当該圧力センサーにより検出された気圧に基づいて、高度を検出する。
【００６０】
また、本実施形態では、制御装置７０は、解析部（図示省略）を備える。この解析部は、上記各センサーにより取得された検出結果情報に基づいて、ユーザーの消費カロリー及びユーザーの歩数を算出する。また、上記解析部は、温度（気温）、紫外線量、ユーザーの消費カロリー及びユーザーの歩数のそれぞれを予め設定した５段階のうち、いずれの段階（レベル）に相当するかを判定する。すなわち、上記解析部は、上記算出された値に対応するレベル値を設定する。
【００６１】
図７〜図１０は、本実施形態に係る電子時計の指標表示部２０Ｃの平面図であり、表示領域２２Ｃにおける第１表示領域２２１Ｃ〜第４表示領域２２４Ｃのそれぞれを指示する例を示す図である。
指標表示部２０Ｃは、図７〜図１０に示すように、第１指針２１Ｃおよび表示領域２２Ｃを備える。
第１指針２１Ｃは、当該第１指針２１Ｃの長さ方向において、４つの領域に区画される。この第１指針２１Ｃは、第１指針２１Ｃの先端側から基端（回転軸）側に向かって、第１指示領域２１１Ｃ、第２指示領域２１２Ｃ、第３指示領域２１３Ｃおよび第４指示領域２１４Ｃの４つの領域を備える。
【００６２】
また、第１指示領域２１１Ｃは、第１指示色にて表示され、第２指示領域２１２Ｃは、第２指示色にて表示され、第３指示領域２１３Ｃは、第３指示色にて表示され、第４指示領域２１４Ｃは、第４指示色にて表示される。本実施形態では、第１指示色は青色であり、第２指示色は赤色であり、第３指示色は黄色であり、第４指示色は緑色である。
【００６３】
［表示領域の構成］
表示領域２２Ｃは、４つの領域に区画され、第１表示領域２２１Ｃ、第２表示領域２２２Ｃ、第３表示領域２２３Ｃおよび第４表示領域２２４Ｃを備える。また、第１表示領域２２１Ｃは、第１表示色にて表示され、第２表示領域２２２Ｃは、第２表示色にて表示される。また、第３表示領域２２３Ｃは、第３表示色にて表示され、第４表示領域２２４Ｃは、第４表示色にて表示される。
本実施形態では、第１表示色は赤色であり、第２表示色は青色であり、第３表示色は緑色であり、第４表示色は黄色である。
すなわち、第１指示領域２１１Ｃは、第２表示領域２２２Ｃと同一色（青色）であり、第２指示領域２１２Ｃは、第１表示領域２２１Ｃと同一色（赤色）であり、第３指示領域２１３Ｃは、第４表示領域２２４Ｃと同一色（黄色）であり、第４指示領域２１４Ｃは、第３表示領域２２３Ｃと同一色（緑色）である。
【００６４】
なお、本実施形態では、第１表示領域２２１Ｃには、気温（第１情報）の目盛Ｓ５が表示され、第２表示領域２２２Ｃには、紫外線量（第２情報）の目盛Ｓ６が表示され、第３表示領域２２３Ｃには、ユーザーの歩数（第３情報）の目盛Ｓ７が表示され、第４表示領域２２４Ｃには、ユーザーの消費カロリー（第４情報）の目盛Ｓ８が表示される。
【００６５】
表示領域２２Ｃは、平面視で円形状に形成され、中心Ｃを中心とする３つの同心円２４１〜２４３により区画され、図７において破線にて示される４つの領域Ａｒ１〜Ａｒ４を備える。第１領域Ａｒ１は、同心円２４１の外側に位置する円環状の領域であり、第２領域Ａｒ２は、同心円２４１、２４２間に位置する円環状の領域である。また、第３領域Ａｒ３は、同心円２４２、２４３間に位置する円環状の領域であり、第４領域Ａｒ４は、同心円２４３の内側に位置する円形の領域である。これら各領域Ａｒ１〜Ａｒ３の径方向の幅寸法及び第４領域Ａｒ４の半径は、略同じに設定され、上記第１指針２１Ｃにおける４つの指示領域２１１Ｃ〜２１４Ｃのそれぞれの長さ寸法とほぼ一致する。
【００６６】
これらのうち、表示領域２２Ｃの１２時方向を０°とし、３時方向を９０°、６時方向を１８０°、９時方向を２７０°とした場合に、時計回りで、第１領域Ａｒ１の３１５°から４５°の範囲には、第１表示領域２２１Ｃの一部が位置し、第１領域Ａｒ１の４５°から３１５°の範囲には、第２表示領域２２２Ｃの一部が位置する。また、時計回りで、第２領域Ａｒ２の１３５°から４５°の範囲には、第１表示領域２２１Ｃの他の一部が位置し、第２領域Ａｒ２の４５°から１３５°の範囲には、第２表示領域２２２Ｃの他の一部が位置する。
さらに、時計回りで、第３領域Ａｒ３の２２５°から１３５°の範囲には、第４表示領域２２４Ｃの一部が位置し、第３領域Ａｒ３の１３５°から２２５°の範囲には、第３表示領域２２３Ｃの一部が位置する。時計回りで、第４領域Ａｒ４の３１５°から２２５°の範囲には、第３表示領域２２３Ｃの他の一部が位置し、第４領域Ａｒ４の２２５°から３１５°の範囲には、第４表示領域２２４Ｃの他の一部が位置する。
【００６７】
すなわち、このような各表示領域２２１Ｃ〜２２４Ｃのそれぞれは、表示領域２２Ｃの円周（３６０°）において２７０°の範囲内に亘って形成されている。このため、当該２７０°の範囲内においては、第１指針２１Ｃにおける当該各表示領域２２１Ｃ〜２２４Ｃのそれぞれと同じ色で表示される指示領域２１１Ｃ〜２１４Ｃのいずれかが、当該各表示領域において識別困難となる。換言すると、表示領域２２Ｃの円周において、９０°の範囲毎に、当該各表示領域２２１Ｃ〜２２４Ｃのそれぞれと異なる色にて表示される１つの指示領域２１１Ｃ〜２１４Ｃが識別可能に表示される。
【００６８】
［目盛の構成］
目盛Ｓ５〜Ｓ８のそれぞれは、「１」〜「５」の数字により構成され、当該数字が大きくなる程、第１〜第４表示領域２２１Ｃ〜２２４Ｃのそれぞれに表示される情報のレベルが高いことを示している。
これらのうち、目盛Ｓ５は、第１表示領域２２１Ｃに位置し、第１指針２１Ｃの第１指示領域２１１Ｃにより指示される。この目盛Ｓ５は、各目盛Ｓ５〜Ｓ８のうち、最も表示領域２２Ｃの外周側に位置する。
目盛Ｓ６は、第２表示領域２２２Ｃに位置し、第１指針２１Ｃの第２指示領域２１２Ｃにより指示される。この目盛Ｓ６は、表示領域２２Ｃにおいて目盛Ｓ５よりも内側で、かつ、目盛Ｓ７および目盛Ｓ８よりも外側に位置する。
目盛Ｓ７は、第３表示領域２２３Ｃに位置し、第１指針２１Ｃの第３指示領域２１３Ｃにより指示される。この目盛Ｓ７は、表示領域２２Ｃにおいて目盛Ｓ６よりも内側で、かつ、目盛Ｓ８よりも外側に位置する。
目盛Ｓ８は、第４表示領域２２４Ｃに位置し、第１指針２１Ｃの第４指示領域２１４Ｃにより指示される。この目盛Ｓ８は、表示領域２２Ｃにおいて最も内側（中心Ｃ側）に位置する。
【００６９】
［指標表示部の表示態様］
操作装置４３の操作に基づいて、表示制御部７３は、解析部により算出された脈拍数等の複数の情報を、駆動機構５０を制御することにより、指標表示部２０Ｃに表示させる。例えば、操作装置４３の操作に基づいて、表示制御部７３は、図７〜図１０に示すように、各表示領域２２１Ｃ〜２２４Ｃに表示される情報に関する目盛Ｓ５〜Ｓ８のいずれかを指示する。具体的に、温度を表示させる操作が実行されると、表示制御部７３は、第１指針２１Ｃを図７に示す位置へと移動させる。
【００７０】
ここで、本実施形態では、第１指針２１Ｃの第１指示領域２１１Ｃは、青色にて表示され、第２指示領域２１２Ｃは、赤色にて表示され、第３指示領域２１３Ｃは、黄色にて表示され、第４指示領域２１４Ｃは、緑色にて表示されている。このため、第１指針２１Ｃが目盛Ｓ５を指示する場合、第１指示領域２１１Ｃ以外の領域（第２〜第４指示領域２１２Ｃ〜２１４Ｃのそれぞれ）は、同一色の第２表示領域２２１Ｃの赤色、第３表示領域２２３Ｃの緑色および第４表示領域２２４Ｃの黄色によって、目立たなくなり、識別が困難となる。すなわち、第１指針２１Ｃが目盛Ｓ５を指示している場合においては、第１指針２１Ｃの第１指示領域２１１Ｃのみが、当該第１指示領域２１１Ｃが位置する第１表示領域２２１Ｃとの色が異なるので、容易に識別できる状態で表示される。
【００７１】
一方、ユーザーによって紫外線量を表示させる操作が実行されると、表示制御部７３は、第１指針２１Ｃを図８に示す位置へと移動させる。このように第１指針２１Ｃが目盛Ｓ６を指示する場合、第２指示領域２１２Ｃ以外の領域（第１指示領域２１１Ｃ、第３指示領域２１３Ｃおよび第４指示領域２１４Ｃ）は、第２表示領域２２２Ｃの青色、第３表示領域２２３Ｃの緑色および第４表示領域２２４Ｃの黄色によって、目立たなくなり、識別が困難となる。すなわち、第１指針２１Ｃが目盛Ｓ６を指示している場合においては、第１指針２１Ｃの第２指示領域２１２Ｃのみが、当該第２指示領域２１２Ｃが位置する第２表示領域２２２Ｃとの色が異なるので、容易に識別できる状態で表示される。
【００７２】
また、ユーザーによってユーザーの歩数を表示させる操作が実行されると、表示制御部７３は、第１指針２１Ｃを図９に示す位置へと移動させる。このように第１指針２１Ｃが目盛Ｓ７を指示する場合、第３指示領域２１３Ｃ以外の領域（第１指示領域２１１Ｃ、第２指示領域２１２Ｃおよび第４指示領域２１４Ｃ）は、第１表示領域２２１Ｃの赤色、第２表示領域２２２Ｃの青色および第３表示領域２２３Ｃの緑色によって、目立たなくなり、識別が困難となる。すなわち、第１指針２１Ｃが目盛Ｓ７を指示している場合においては、第１指針２１Ｃの第３指示領域２１３Ｃのみが、当該第３指示領域２１３Ｃが位置する第３表示領域２２３Ｃとの色が異なるので、容易に識別できる状態で表示される。
【００７３】
さらに、ユーザーによってユーザーの消費カロリーを表示させる操作が実行されると、表示制御部７３は、第１指針２１Ｃを図１０に示す位置へと移動させる。このように第１指針２１Ｃが目盛Ｓ８を指示する場合、第４指示領域２１４Ｃ以外の領域（第１指示領域２１１Ｃ、第２指示領域２１２Ｃおよび第３指示領域２１３Ｃ）は、第１表示領域２２１Ｃの赤色、第２表示領域２２２Ｃの青色および第４表示領域２２４Ｃの黄色によって、目立たなくなり、識別が困難となる。すなわち、第１指針２１Ｃが目盛Ｓ８を指示している場合においては、第１指針２１Ｃの第４指示領域２１４Ｃのみが、当該第４指示領域２１４Ｃが位置する第４表示領域２２４Ｃとの色が異なるので、容易に識別できる状態で表示される。
【００７４】
［第４実施形態の効果］
以上説明した本実施形態に係る電子時計は、上記電子時計１と同様の効果を奏する他、以下の効果を奏する。
本実施形態では、１つの第１指針２１Ｃが４つの領域（第１〜第４指示領域２１１Ｃ〜２１４Ｃ）に区画され、表示領域２２Ｃが上記構成を有するので、第１指針２１Ｃの１つの領域のみが各表示領域２２１Ｃ〜２２４Ｃにおいて識別可能となるので、第１指針２１Ｃがいずれの情報に関する目盛Ｓ５〜Ｓ８を指示しているのかを容易に認識できる。
例えば、４本の指針を設け、それぞれの情報に関する目盛を指示する場合に比べて、指針の数を減らすことができ、部品点数を削減できる。
【００７５】
［第５実施形態］
次に、本発明の第５実施形態について、図１１を用いて説明する。
本発明の第５実施形態に係る電子時計は、上記第１実施形態に係る電子時計１と略同様の構成を備える他、上記指標表示部２０とは異なる指標表示部２０Ｄを備える。この指標表示部２０Ｄが２つの指針を有する点で、本実施形態に係る電子時計と上記第１実施形態に係る電子時計１とは相違する。
なお、以下の説明では、既に説明した部分と同一または略同一である部分については、同一の符号を付して説明を簡略化または省略する。
【００７６】
図１１は、本実施形態に係る電子時計の指標表示部２０Ｄを示す平面図である。指標表示部２０Ｄは、表示領域２２、第１指針２４および第２指針２５を備える。
表示領域２２は、第１実施形態で説明したように、第１表示領域２２１および第２表示領域２２２を有し、第１表示領域２２１には、目盛Ｓ１が表示されている。また、第２表示領域２２２には、目盛Ｓ２が表示されている。
また、第１表示領域２２１の第１表示色は赤色であり、第２表示領域２２２の第２表示色は青色にて表示されている。
【００７７】
第１指針２４は、青色にて表示され、目盛Ｓ１を指示する指針である。例えば、第１表示領域２２１に表示される温度（気温）を示す目盛Ｓ１を指示する操作が実行されると、表示制御部７３の制御により、図１１に示すように、第１指針２４は、目盛Ｓ１を指示する。この第１指針２４は、青色にて表示されているため、赤色にて表示される第１表示領域２２１に位置する際には、識別可能となり、確実に目盛Ｓ１が指示される。
一方、目盛Ｓ１を指示しない場合（温度を表示する温度表示モードが選択されていない場合）、第１指針２４は、青色にて表示される第２表示領域２２２に位置する。この第２表示領域２２２は、上述したように、青色にて表示されているので、当該第２表示領域２２２に第１指針２４が位置すると、当該第１指針２４は、識別困難となる。これにより、指標表示部２０Ｄに温度が表示されていないことが明確となる。
【００７８】
第２指針２５は、赤色にて表示され、目盛Ｓ２を指示する指針である。例えば、第２表示領域２２２に表示される紫外線量を示す目盛Ｓ２を指示する操作が実行されると、表示制御部７３の制御により、図１１に示すように、第２指針２５は、目盛Ｓ２を指示する。なお、目盛Ｓ２を指示しない場合（紫外線量を表示する紫外線表示モードが選択されていない場合）、第２指針２５は、赤色にて表示される第１表示領域２２１に位置する。この第１表示領域２２１は、上述したように、赤色にて表示されているので、当該第１表示領域２２１に第２指針２５が位置すると、当該第２指針２５は、識別困難となる。これにより、指標表示部２０Ｄに紫外線量が表示されていないことが明確となる。
【００７９】
［第５実施形態の効果］
以上説明した本実施形態に係る電子時計は、上記電子時計１と同様の効果を奏する他、以下の効果を奏する。
本実施形態では、２つの指針２４，２５のそれぞれにより２つの情報（温度を示す目盛Ｓ１及び紫外線量を示す目盛Ｓ２）を指示できるので、２つの情報を同時に表示でき、ユーザーの利便性を向上させることができる。
また、各情報を表示しない場合（目盛Ｓ１及び目盛Ｓ２のいずれも指示しない場合）に、同じ色にて表示される表示領域に第１指針２４および第２指針２５のそれぞれを退避させることができるので、指標表示部２０Ｄに第１表示領域２２１および第２表示領域２２２に表示される情報が表示されていないこと、すなわち、複数の情報を表示するモードが選択されていないことをユーザーに容易に認識させることができる。
【００８０】
［第６実施形態］
次に、本発明の第６実施形態について、図１２を用いて説明する。
本発明の第６実施形態に係る電子時計は、上記第５実施形態に係る電子時計と略同様の構成を備える他、上記指標表示部２０Ｄとは異なる指標表示部２０Ｅを備える。この指標表示部２０Ｅの表示領域の第１表示領域２２１Ｅ及び第２表示領域２２２Ｅの形状が異なる点で、本実施形態に係る電子時計と上記第５実施形態に係る電子時計とは相違する。
なお、以下の説明では、既に説明した部分と同一または略同一である部分については、同一の符号を付して説明を簡略化または省略する。
【００８１】
本実施形態では、センサー部６０は、高度センサー（図示省略）を備え、当該高度センサーは、圧力センサーにより構成されている。また、制御装置７０は、上記解析部を備え、当該解析部は、高度センサー（圧力センサー）により検出された気圧に基づいて、高度を算出する。
【００８２】
図１２は、本実施形態に係る電子時計の指標表示部２０Ｅを示す平面図である。指標表示部２０Ｅは、表示領域２２Ｅ、第１指針２４および第２指針２５を備える。
表示領域２２Ｅは、表示領域２２Ｅの中心Ｃから表示領域２２Ｅの外周まで延びる２本の線分（半径）２５１、２５２により、第１表示領域２２１Ｅおよび第２表示領域２２２Ｅに区画されている。第１表示領域２２１Ｅは、中心角が約９０の扇形（１／４円形状）に形成され、第１表示色にて表示されている。
この表示領域２２Ｅには、目盛Ｓ９が表示されている。この目盛Ｓ９は、スケール表示であり、「十」、「百」、「千」の文字により構成されている。
なお、本実施形態では、第１表示色は赤色であることから、第１表示領域２２１Ｅは、赤色にて表示される。このため、第１指針２４が当該第１表示領域２２１Ｅに位置すると、青色にて表示される第１指針２４は、識別可能となり、当該第１指針２４により上記目盛Ｓ９が指示される。
【００８３】
第２表示領域２２２Ｅは、中心角が約２７０度の扇形（３／４円形状）に形成され、第２表示色にて表示されている。この第２表示領域２２２Ｅには、目盛Ｓ１０が表示されている。この目盛Ｓ１０は、「０」から「９」の数字により構成されている。
なお、本実施形態では、第２表示色は青色であることから、第２表示領域２２２Ｅは、青色にて表示される。このため、第２指針２５が当該第２表示領域２２２Ｅに位置すると、赤色にて表示される第２指針２５は、識別可能となり、当該第２指針２５により上記目盛Ｓ１０が指示される。
【００８４】
本実施形態では、表示領域２２Ｅには、上記高度センサーにより検出され、上記解析部により算出された高度が表示される。例えば、ユーザーの操作に基づき、高度を表示する高度表示モードが選択されると、表示制御部７３は、駆動機構５０の制御の下、第１指針２４及び第２指針２５を図１２に示す位置へと移動させる。
例えば、図１２に示すように、第１指針２４が目盛Ｓ９の「百」を指示し、第２指針２５が「３」と「４」の間を指示していれば、ユーザーは、表示領域２２Ｅに表示される情報（例えば、高度）が「３５０ｍ」であることを認識できる。
すなわち、第１指針２４が目盛Ｓ９の数字を指示していない場合は、目盛Ｓ１０の各数字「０〜９」は０ｍ〜９ｍを示す。第１指針２４が目盛Ｓ９の「十」を指示している場合は、目盛Ｓ１０の各数字「０〜９」は０ｍ〜９０ｍと１０ｍ毎の高度を示す。第１指針２４が目盛Ｓ９の「百」を指示している場合は、目盛Ｓ１０の各数字「０〜９」は０ｍ〜９００ｍと１００ｍ毎の高度を示す。第１指針２４が目盛Ｓ９の「千」を指示している場合は、目盛Ｓ１０の各数字「０〜９」は０ｍ〜９０００ｍと１０００ｍ毎の高度を示す。
【００８５】
［第６実施形態の効果］
以上説明した本実施形態に係る電子時計は、上記電子時計１と同様の効果を奏する他、以下の効果を奏する。
本実施形態では、第１表示領域２２１Ｅに表示される目盛Ｓ９がスケール表示となっているので、指標表示部２０Ｅに表示される高度を適切なスケールで表示できる。また、高度以外の様々な情報を当該指標表示部２０Ｅに表示させることができる。
また、第１表示領域２２１Ｅ及び第２表示領域２２２Ｅが同じ大きさ（例えば、いずれもが半円形状）に形成されている場合に比べて、第１表示領域２２１Ｅよりも第２表示領域２２２Ｅが大きく（略３倍）形成されているので、高度等の数値をより詳細に表示させることができ、第１指針２４が数値の間を指示する場合も比較的正確な値を読み取ることができる。従って、ユーザーの利便性を向上できる。
【００８６】
［第７実施形態］
次に、本発明の第７実施形態について、図１３を用いて説明する。
本発明の第７実施形態に係る電子時計は、上記第５実施形態に係る電子時計と略同様の構成を備え、上記指標表示部２０Ｄとは異なる指標表示部２０Ｆを備える。この指標表示部２０Ｆの第１表示領域２２１Ｆ及び第２表示領域２２２Ｆが環状に位置する点で、本実施形態に係る電子時計と上記第５実施形態に係る電子時計とは相違する。
なお、以下の説明では、既に説明した部分と同一または略同一である部分については、同一の符号を付して説明を簡略化または省略する。
【００８７】
図１３は、本実施形態に係る電子時計の指標表示部２０Ｆを示す平面図である。指標表示部２０Ｆは、表示領域２２Ｆ、第１指針２４および第２指針２５Ｆを備える。
表示領域２２Ｆは、温度に関する目盛Ｓ１１が表示される第１表示領域２２１Ｆおよび紫外線に関する目盛Ｓ１２が表示される第２表示領域２２２Ｆを有する。これら第１表示領域２２１Ｆおよび第２表示領域２２２Ｆのそれぞれは、表示領域２２Ｆの中心Ｃを中心とする同心円状に位置する。これらのうち、第１表示領域２２１Ｆは、平面視で円環状に形成され、表示領域２２Ｆの外周側に位置する。第２表示領域２２２Ｆは、平面視で円形状に形成され、表示領域２２Ｆにおける第１表示領域２２１Ｆの内側に位置する。
また、第１表示領域２２１Ｆは、第１表示色にて表示され、第２表示領域２２２Ｆは、第２表示色にて表示されている。また、本実施形態では、第１表示色は、赤色であり、第２表示色は青色である。
【００８８】
第１表示領域２２１Ｆに表示される目盛Ｓ１１は、「−１０」〜「４０」のうち、偶数により構成され、第１表示領域２２１Ｆの略全領域に円環状に位置している。この赤色にて表示される第１表示領域２２１Ｆに表示される目盛Ｓ１１が、青色にて表示される第１指針２４により指示されるので、外気温を−１０℃〜４０℃の範囲内において、詳細に、かつ、識別可能な状態で指示できる。
一方、第２表示領域２２２Ｆに表示される目盛Ｓ１２は、「１」〜「１５」の数字により構成され、第２表示領域２２２Ｆの略全領域に円環状に位置している。
第２指針２５Ｆは、第１指針２４よりも短く形成されており、当該第２指針２５Ｆの先端部は、第２表示領域２２２Ｆの外縁よりも内側に位置する。これにより、第２指針２５Ｆの先端部は、上述したように、第２表示領域２２２Ｆに表示される目盛Ｓ１２を指示する。このような第２指針２５Ｆは、第２指示色にて表示され、本実施形態では赤色にて表示される。青色にて表示される第２表示領域２２２Ｆが、赤色にて表示される第２指針２５Ｆにより指示されるので、紫外線量を「１」〜「１５」の範囲内において、詳細に、かつ、識別可能な状態で指示できる。
【００８９】
［第７実施形態の効果］
以上説明した本実施形態に係る電子時計は、上記電子時計１と同様の効果を奏する他、以下の効果を奏する。
本実施形態では、第１表示領域２２１Ｆおよび第２表示領域２２２Ｆの略全領域に目盛Ｓ１１，Ｓ１２を表示させることができるので、上記各実施形態に比べて、詳細にその強度を表示させることができ、ユーザーに温度及び紫外線量を把握させやすくできる。
また、第１表示領域２２１Ｆには、温度に関する情報を極めて詳細に表示できることから、室温や外気温を常に確認する必要があるユーザーの利便性を向上できる。
【００９０】
［第８実施形態］
次に、本発明の第８実施形態について、図１４，１５を用いて説明する。
本発明の第８実施形態に係る電子時計は、上記第５実施形態に係る電子時計と略同様の構成を備え、上記指標表示部２０Ｄとは異なる指標表示部２０Ｇを備える。この指標表示部２０Ｇが４つの表示領域を備える点で、本実施形態に係る電子時計と上記第５実施形態に係る電子時計とは相違する。
なお、以下の説明では、既に説明した部分と同一または略同一である部分については、同一の符号を付して説明を簡略化または省略する。
【００９１】
本実施形態では、センサー部６０は、上記温度センサー６１及び紫外線センサー６２の他、図示を省略するが、上記加速度センサー、上記脈拍センサーを備える。
また、本実施形態では、制御装置７０は、上記解析部（図示省略）を備える。この解析部は、上記各センサーにより取得された検出結果情報に基づいて、ユーザーの消費カロリー及びユーザーの歩数を算出する。
【００９２】
図１４は、本実施形態に係る電子時計の指標表示部２０Ｇにおける第１表示領域２２１Ｇおよび第４表示領域２２４Ｇに、第１指針２６および第２指針２７が位置する状態を示す平面図であり、図１５は、指標表示部２０Ｇにおける第２表示領域２２２Ｇおよび第３表示領域２２３Ｇに、第１指針２６および第２指針２７が位置する状態を示す平面図である。
本実施形態に係る電子時計は、上記指標表示部２０Ｄに代えて、指標表示部２０Ｇを有する。この指標表示部２０Ｇは、図１４および図１５に示すように、表示領域２２Ｇ、第１指針２６および第２指針２７を備える。
【００９３】
［指針の構成］
第１指針２６および第２指針２７は、上記第１実施形態に係る第１指針２１と略同一の構成を有する。これらのうち、第１指針２６は、後述する表示領域２２Ｇにおける第１表示領域２２１Ｇおよび第２表示領域２２２Ｇのいずれかを指示する。この第１指針２６は、第１指示領域２６１および第２指示領域２６２を有し、第１指示領域２６１は、第１指示色にて表示され、第２指示領域２６２は第２指示色にて表示される。
また、第２指針２７は、後述する表示領域２２Ｇにおける第３表示領域２２３Ｇおよび第４表示領域２２４Ｇのいずれかを指示する。この第２指針２７は、第３指示領域２７１および第４指示領域２７２を有し、第３指示領域２７１は、第３指示色にて表示され、第４指示領域２７２は、第４指示色にて表示される。第３指示領域２７１は、第２指針２７における先端側に位置し、第４指示領域２７２は、第２指針２７における回転軸側に位置する。
なお、本実施形態では、第１指示色は青色であり、第２指示色は赤色であり、第３指示色は黄色であり、第４指示色は緑色である。
【００９４】
［表示領域の構成］
表示領域２２Ｇは、４つの領域に等分に区分される。この表示領域２２Ｇは、第１表示領域２２１Ｇ、第２表示領域２２２Ｇ、第３表示領域２２３Ｇおよび第４表示領域２２４Ｇを有し、第１〜第４表示領域２２１Ｇ〜２２４Ｇのそれぞれは、１／４円形状である。また、第１表示領域２２１Ｇは、第１表示色にて表示され、第２表示領域２２２Ｇは、第２表示色にて表示され、第３表示領域２２３Ｇは、第３表示色にて表示され、第４表示領域２２４Ｇは、第４表示色にて表示されている。
これらのうち、第１表示領域２２１Ｇは、表示領域２２Ｇにおける１２時方向に位置し、温度（第１情報）の目盛Ｓ１３が表示されている。また、第２表示領域２２２Ｇは、表示領域２２Ｇにおける９時方向に位置し、紫外線（第２情報）の目盛Ｓ１４が表示されている。
さらに、第３表示領域２２３Ｇは、表示領域２２Ｇにおける６時方向に位置し、ユーザーの消費カロリー（第３情報）の目盛Ｓ１５が表示されている。加えて、第４表示領域２２４Ｇは、表示領域２２Ｇにおける３時方向に位置し、ユーザーの歩数（第４情報）の目盛Ｓ１６が表示されている。
なお、本実施形態では、第１表示色は赤色であり、第２表示色は青色であり、第３表示色は緑色であり、第４表示色は黄色である。
【００９５】
［目盛の構成］
第１表示領域２２１Ｇに表示される目盛Ｓ１３は、「−１０」、「０」、「３０」および「５０」の数字により構成され、第１表示領域２２１Ｇの外周側の略全領域に円弧状に位置している。この赤色にて表示される第１表示領域２２１Ｇに位置する目盛Ｓ１３は、青色にて表示される第１指針２６の第１指示領域２６１により指示される。
第２表示領域２２２Ｇに表示される目盛Ｓ１４は、「１」〜「１５」のうち奇数により構成され、上記目盛Ｓ１３よりも内側、すなわち、第１指針２６の第２指示領域２６２の先端の軌跡上に円弧状に位置している。この青色にて表示される第２表示領域２２２Ｇに表示される目盛Ｓ１４は、赤色にて表示される第１指針２６の第２指示領域２６２により指示される。
【００９６】
第３表示領域２２３Ｇに表示される目盛Ｓ１５は、「０」〜「１０」のうち偶数により構成され、円弧状に位置している。この緑色にて表示される第３表示領域２２３Ｇに位置する目盛Ｓ１５は、黄色にて表示される第２指針２７の第３指示領域２７１により指示される。
第４表示領域２２４Ｇに表示される目盛Ｓ１６は、「０」、「５」、「１０」および「１５」の数字により構成され、上記目盛Ｓ１５よりも内側、すなわち、第２指針２７の第４指示領域２７２の先端の軌跡上に円弧状に位置している。この黄色にて表示される第４表示領域２２４Ｇに表示される目盛Ｓ１６は、緑色にて表示される第２指針２７の第４指示領域２７２により指示される。
【００９７】
［指標表示部の表示態様］
操作装置４３の操作に基づいて、表示制御部７３は、上記解析部により算出されたユーザーの消費カロリーや歩数等の複数の情報を、駆動機構５０を制御することにより、指標表示部２０Ｇに表示させる。例えば、操作装置４３の操作に基づいて、表示制御部７３は、図１４および図１５に示すように、各表示領域２２１Ｇ〜２２４Ｇに表示される情報に関する目盛Ｓ１３〜Ｓ１６のいずれかを指示する。具体的に、温度およびユーザーの歩数を表示させる操作が実行されると、表示制御部７３は、第１指針２６および第２指針２７を図１４に示す位置へと移動させる。
【００９８】
ここで、本実施形態では、第１指針２６の第１指示領域２６１は、青色にて表示され、第２指示領域２６２は、赤色にて表示され、第２指針２７の第３指示領域２７１は、黄色にて表示され、第４指示領域２７２は、緑色にて表示されている。このため、第１指針２６の第１指示領域２６１が目盛Ｓ１３を指示する場合、第２指示領域２６２は、第１表示領域２２１Ｇの赤色によって、目立たなくなり、識別が困難となる。
また、第２指針２７の第４指示領域２７２が目盛Ｓ１６を指示している場合においては、第２指針２７の第３指示領域２７１は、第４表示領域２２４Ｇの黄色によって目立たなくなり、識別が困難となる。
【００９９】
一方、第１指針２６の第２指示領域２６２が目盛Ｓ１４を指示する場合、第１指示領域２６１は、第２表示領域２２２Ｇの青色によって、目立たなくなり、識別が困難となる。
また、第２指針２７の第３指示領域２７１が目盛Ｓ１５を指示している場合においては、第２指針２７の第４指示領域２７２は、第３表示領域２２３Ｇの緑色によって目立たなくなり、識別が困難となる。
このような構成により、第１指針２６が第１表示領域２２１Ｇおよび第２表示領域２２２Ｇのいずれに位置した場合であっても、第１指示領域２６１および第２指示領域２６２のいずれかが識別可能になるので、当該識別可能な領域において確実に目盛Ｓ１３および目盛Ｓ１４が指示される。また、第２指針２７が第３表示領域２２３Ｇおよび第４表示領域２２４Ｇのいずれに位置した場合であっても、第３指示領域２７１および第４指示領域２７２のいずれかが識別可能になるので、当該識別可能な領域において確実に目盛Ｓ１５および目盛Ｓ１６が指示される。
【０１００】
［第８実施形態の効果］
以上説明した本実施形態に係る電子時計は、上記電子時計１と同様の効果を奏する他、以下の効果を奏する。
第１指針２６が第１指示領域２６１および第２指示領域２６２を備え、第２指針２７が第３指示領域２７１および第４指示領域２７２を備えている。そして、第１指示領域２６１及び第２表示領域２２２Ｇ、第２指示領域２６２及び第１表示領域２２１Ｇ、第３指示領域２７１及び第４表示領域２２４Ｇ、第４指示領域２７２及び第３表示領域２２３Ｇのそれぞれが同一色にて構成されている。このため、２つの指針２６，２７により４つの表示領域２２１Ｇ〜２２４Ｇのそれぞれを指示でき、同時に２つの情報に関する目盛Ｓ１３〜Ｓ１６を指示できる。これによれば、上記第４実施形態のように１つの第１指針２１Ｃにて４つの表示領域２２１Ｃ〜２２４Ｃのそれぞれを指示する場合に比べて、２つの情報を同時に指示できるので、ユーザーは、２つの情報のレベルを同時に認識できる。
また、４つの表示領域２２１Ｇ〜２２４Ｇのそれぞれを指示する４つの指針を備えている場合に比べて、指針の数を半分にできるので、部品点数を削減できる。
【０１０１】
［第９実施形態］
次に、本発明の第９実施形態について、図１６を用いて説明する。
本発明の第９実施形態に係る電子時計は、上記第１実施形態に係る電子時計と略同様の構成を備え、上記指標表示部２０とは異なる指標表示部を備える。この指標表示部は、文字板の略全領域に位置する点で、本実施形態に係る電子時計と上記第１実施形態に係る電子時計とは相違する。
なお、以下の説明では、既に説明した部分と同一または略同一である部分については、同一の符号を付して説明を簡略化または省略する。
【０１０２】
図１６は、本実施形態に係る電子時計１Ｈを示す図である。
電子時計１Ｈは、上記電子時計１と略同一の構成を備える他、時刻表示部１０に代えて、時刻表示部１０Ｈを備える。また、電子時計１Ｈは、上記指標表示部２０に代えて、指標表示部２０Ｈを備える。
【０１０３】
［時刻表示部の構成］
時刻表示部１０Ｈは、第１指針２８、時針２３Ｈおよび文字板１４Ｈを備えることにより、時刻を表示する。この第１指針２８は、時刻表示部１０Ｈにおいては、分針として機能する他、指標表示部２０Ｈにおいては、表示領域２９における第１表示領域２９１および第２表示領域２９２のそれぞれに位置する目盛Ｓ１７およびＳ１８を指示する機能を有する。
また、本実施形態では、駆動機構５０は、２つのステップモーターを備え、第１指針２８および時針２３Ｈを独立して駆動させる。
【０１０４】
［指標表示部の構成］
指標表示部２０Ｈは、図１６に示すように、第１指針２８および表示領域２９を備える。
第１指針２８は、上述したように、時刻が表示されている際には、分針として機能する他、第１表示領域２９１および第２表示領域２９２（目盛Ｓ１７および目盛Ｓ１８）を指示する第１指示領域２８１および第２指示領域２８２を有する。
この第１指示領域２８１は、第１指針２８の先端側に位置し、第１表示領域２９１の目盛Ｓ１７を指示する。また、第２指示領域２８２は、当該第１指針２８の回転軸側（中心Ｃ側）に位置し、第２表示領域２９２の目盛Ｓ１８を指示する。また、第１指示領域２８１は、第１指示色にて表示され、第２指示領域２８２は、第２指示色にて表示される。また、本実施形態では、第１指示色は青色であり、第２指示色は赤色である。
【０１０５】
表示領域２９は、平面視で文字板１４Ｈの略全領域を占める円形状に形成されている。この表示領域２９は、第１表示領域２９１、第２表示領域２９２および第３表示領域２９３を有する。
第１表示領域２９１および第２表示領域２９２のそれぞれは、表示領域２９の中心Ｃを中心とする同心円状に位置する。具体的に、第１表示領域２９１は、平面視で略円環状に形成され、表示領域２９の外周側に位置する。第２表示領域２９２は、平面視で略円環状に形成され、表示領域２９における第１表示領域２９１の内側に位置する。
第１表示領域２９１は、第１表示色にて表示され、第２表示領域２９２は、第２表示色にて表示される。また、本実施形態では、第１表示色は赤色であり、第２表示色は青色である。
【０１０６】
第１表示領域２９１に表示される温度の目盛Ｓ１７は、「１」〜「５」までの数字により構成され、１１時位置から１２時位置の間に円弧状に位置している。また、第２表示領域２９２に表示される紫外線の目盛Ｓ１８は、４時位置から６時位置の間に円弧状に位置している。
また、第３表示領域２９３は、平面視で、表示領域２９の中心Ｃを中心とする円形状に形成される。この第３表示領域２９３の１２時方向には、「１２」が表示され、３時方向には「３」が表示され、６時方向には「６」が表示され、９時方向には「９」が表示されている。
【０１０７】
第３表示領域２９３の中心Ｃには、第１指針２８の回転軸と同軸に設けられた時針２３Ｈの回転軸が位置する。時針２３Ｈは、第１指針２１と独立して駆動され、時分のうちの時を示す。また、時針２３Ｈは、第１指針２８よりも短く、第３表示領域２９３の半径よりも小さいので、当該時針２３Ｈが回転し、いずれの位置を指示した場合であっても、第１表示領域２９１および第２表示領域２９２を指示することがないので、確実に時分のうちの「時」を指示していることを容易に認識できる。
【０１０８】
なお、本実施形態では、時刻を表示する時刻表示モードと、指標表示モードとを、操作装置４３の操作により選択可能となっており、通常時（何ら操作を実行していない場合）は、時刻表示モードが自動的に選択された状態である。このため、ユーザーは、図１６に示す電子時計１Ｈを視認することで、現在時刻が３時５６分であることを認識できる。
この時刻表示モードが選択されている際に、操作装置４３（例えば、Ａボタン４３１を押下する操作）が実行されると、指標表示モードが選択され、当該指標表示モードが選択されたことを示すために、時針２３Ｈは、１２時位置に自動的に位置する。指標表示モードが選択されると、最初に、第１指針２８の第１指示領域２８１で第１表示領域２９１の目盛Ｓ１７を指示する温度表示モードとなり、操作装置４３を操作して紫外線表示モードに切り替えると、第１指針２８の第２指示領域２８２が第２表示領域２９２の目盛Ｓ１８を指示する。したがって、操作装置４３では、時刻表示モード、温度表示モード、紫外線表示モードを選択でき、選択されたモードによって、第１指針２８、時針２３Ｈが移動する。
【０１０９】
［第９実施形態の効果］
以上説明した電子時計１Ｈは、上記電子時計１と同様の効果を奏する他、以下の効果を奏する。
第１指針２８が時刻表示モードにおいては分針として機能し、指標表示モードにおいては、目盛Ｓ１７および目盛Ｓ１８を指示する指針として機能するので、電子時計１Ｈの指針の数を減らすことができ、部品点数を削減できる。
指標表示モードが選択され、当該指標表示モードが選択されたことを示すために、時針２３Ｈは、１２時位置に自動的に位置するので、ユーザーは、現在指標表示モードが選択されていることを容易に認識できる。
また、第１表示領域２９１が赤色にて表示され、第１指示領域２８１が青色にて表示されているので、第１表示領域２９１において目盛Ｓ１７が指示されていることを容易に認識できる。同様に、第２表示領域２９２が青色にて表示され、第２指示領域２８２が赤色にて表示されているので、第２表示領域２９２において目盛Ｓ１８が指示されていることを容易に認識できる。
【０１１０】
［実施形態の変形］
本発明は、上記実施形態に限定されるものではなく、本発明の目的を達成できる範囲での変形、改良等は本発明に含まれるものである。
上記第１実施形態では、第１指針２１は、第１指示領域２１１及び第２指示領域２１２を備え、表示領域２２は、第１表示領域２２１及び第２表示領域２２２を備えることとした。しかしながら、これに限らず、例えば、第１指針２１は、第１指示領域２１１及び第２指示領域２１２に加えて、第３指示領域を備え、表示領域２２は、第１表示領域２２１及び第２表示領域２２２に加えて、第３表示領域を有することとしてもよい。すなわち、第１指針２１の指示領域及び表示領域２２の表示領域の数は問わない。なお、他の実施形態についても同様である。
【０１１１】
上記第１実施形態では、第１指示領域２１１の第１指示色と第２表示領域２２２の第２表示色とが同一色（青色）であり、第２指示領域２１２の第２指示色と第１表示領域２２１の第１表示色とが同一色（赤色）であることとした。しかしながら、同一色に限定されず、同系色などの互いの色差が小さい色（例えば、赤色と、赤色の同系色である赤紫色やオレンジ色等）でもよい。すなわち、指針が第１表示領域に重なった場合、第１指示領域の第１指示色が、第１表示色に対して反対色（補色）などの色差が大きい色であれば、ユーザーは第１指示領域を強く認識し、第２指示色が第１表示色と異なっていても色差が小さい場合には第２指示領域を認識できないためである。第２指示色および第１表示色も同様に同一色が好ましいが、互いに色差が小さい色でもよい。なお、他の実施形態についても同様である。
【０１１２】
上記第１実施形態では、第１指示色及び第２表示色が青色であり、第２指示色及び第１表示色が赤色であることとした。しかしながら、これに限らず、第１指示色と第１表示色とは反対色など色差が大きく、第１表示色に対して第１指示色が識別しやすい色であればどのような色（例えば、オレンジ色と紫色など）でもよい。また、第２指示色と第２表示色も同様に、色差が大きく、第２表示色に対して第２指示色が識別しやすい色であれば、どのような色でもよい。
さらに各表示領域の色は、その表示領域で表示する情報の種類を把握し易い色に設定してもよい。例えば、照度を表示する表示領域を赤色、紫外線量を表示する表示領域を紫色、歩数を表示する表示領域を黄色、消費カロリーを表示する表示領域を緑色などに設定してもよい。
【０１１３】
上記第１実施形態では、表示領域２２は、平面視で円形状に形成されていることとした。しかしながら、これに限らず、表示領域２２は、楕円形状であってもよいし、矩形状であってもよい。すなわち、表示領域２２はどのような形状であってもよい。
【０１１４】
上記第３、第７及び第９実施形態において、第１表示領域２２１Ｃ，２２１Ｆ，２９１及び第２表示領域２２２Ｃ，２２２Ｆ，２９２のそれぞれは、同心円状に形成されているので、各表示領域の目盛を、円周方向に異なる位置であれば自由な位置に配置できる。例えば、第１表示領域の目盛を、表示領域の中心を挟んで上下２箇所に設け、第２表示領域の目盛を、左右２箇所に設けることもでき、目盛の配置の自由度を高めることができる。この場合、例えば、第１表示領域の上側の目盛で０ｍ以上の高度を指示し、下側の目盛で水深を指示したり、第２表示領域の左側の目盛で０度未満の温度を指示し、右側の目盛で０度以上の温度を指示したりすることもできる。
【０１１５】
上記各実施形態では、複数の情報としてユーザーの脈拍数、ユーザーの歩数、ユーザーの消費カロリー、温度、紫外線量および高度に関する情報が表示領域２２，２２Ａ〜２２Ｇ，２９に表示されることとした。しかしながら、本発明は、これに限らない。これら複数の情報は、上記に限らず、ユーザーの血糖値や血圧等を表示するようにしてもよいし、各種情報のうち２つの情報のみを表示することとしてもよい。すなわち、各表示領域２２，２２Ａ〜２２Ｇ，２９に表示される情報の組み合わせは自由である。
また、表示する情報は、電子時計に組み込まれたセンサーで検出されるものに限定されず、電子時計とは別体のセンサーや、スマートフォンなどの電子機器から電子時計に送信される情報を表示するようにしてもよい。
【０１１６】
上記各実施形態では、各目盛Ｓ１〜Ｓ１８のそれぞれは、アラビア数字により構成されることとしたが、これに限らない。例えば、各目盛Ｓ１〜Ｓ１８が漢数字やローマ数字等により構成されてもよい。
上記各実施形態では、上記目盛Ｓ１〜Ｓ１８のそれぞれは、数字により構成されることとしたが、これに限らない。例えば、目盛Ｓ１〜Ｓ１８のそれぞれは、「楽」、「普」、「辛」等の身体の状態を示す漢字により構成されてもよいし、これら身体の状態を示す絵文字（マーク）等により構成されていてもよい。すなわち、目盛Ｓ１〜Ｓ１８は、表示された情報の数値や、強度等の指標となるものであれば、その形態および態様は問わない。また、その他の実施形態についても同様である。
【０１１７】
上記第４実施形態では、第１表示領域２２１Ｃに、温度が表示され、第２表示領域２２２Ｃに、紫外線量が表示され、第３表示領域２２３Ｃに、ユーザーの歩数が表示され、第４表示領域２２４Ｃに、ユーザーの消費カロリーが表示されることとしたが、これに限らない。例えば、第１表示領域２２１Ｃには、温度に代えて、ユーザーの脈拍数が表示されることとしてもよい。すなわち、いずれの表示領域にいずれの情報が表示されてもよい。
【０１１８】
上記第７実施形態では、第２指針２５Ｆは、第１指針２４よりも短く形成され、第２指針２５Ｆの先端部は、第２表示領域２２２Ｆの外縁よりも内側に位置することとした。しかしながら、これに限らず、当該第２指針２５Ｆは、上記第６実施形態に係る第２指針２５と同形状であってもよい。この場合、第２指針により第２表示領域２２２Ｆに表示される目盛Ｓ１２を指示すると、第１表示領域２２１Ｆに表示される目盛Ｓ１１も同時に指示してしまうこととなるが、第２指針は、第１色にて形成され、第１表示領域２２１Ｆも第１色にて表示されていることから、当該第２指針における第１表示領域２２１Ｆに位置する領域は、認識困難となるので、上記第７実施形態と同様の効果を奏することができる。
【０１１９】
上記第９実施形態では、指標表示モードが選択されると、時針２３Ｈは、０時位置に移動することとした。しかしながら、これに限らず、第１指針２８および時針２３Ｈのそれぞれは、２つのステップモーターにて独立して駆動可能になっているので、例えば、時針２３Ｈを反時計回りに１周移動させるなど、モードが切り替わったことを示すことができれば、時針２３Ｈは、どのように駆動してもよい。
【０１２０】
その他、本発明の実施の際の具体的な構造は、本発明の目的を達成できる範囲で上記各実施形態および各変形例を適宜組み合わせることで構成してもよく、また他の構造などに適宜変更してもよい。
【符号の説明】
【０１２１】
１…電子時計、１Ｈ…電子時計、２０，２０Ａ，２０Ｂ，２０Ｃ，２０Ｄ，２０Ｅ，２０Ｆ，２０Ｇ，２０Ｈ…指標表示部（指標表示装置）、２１，２１Ａ，２１Ｂ，２１Ｃ…第１指針、２２，２２Ａ，２２Ｂ，２２Ｃ，２２Ｄ，２２Ｅ，２２Ｆ，２２Ｇ…表示領域、２４，２６，２８…第１指針、２５，２５Ｆ，２７…第２指針、２９…表示領域、２１１，２１１Ｂ，２１１Ｃ…第１指示領域、２１２，２１２Ｂ，２１２Ｃ…第２指示領域、２１３Ｃ…第３指示領域、２１４Ｃ…第４指示領域、２２１，２２１Ｂ，２２１Ｃ，２２１Ｅ，２２１Ｆ，２２１Ｇ，…第１表示領域、２２２，２２２Ｂ，２２２Ｃ，２２２Ｅ，２２２Ｆ，２２２Ｇ…第２表示領域、２２３Ｃ，２２３Ｇ…第３表示領域、２２４Ｃ，２２４Ｇ…第４表示領域、２２５…第３表示領域、２６１…第１指示領域、２６２…第２指示領域、２７１…第３指示領域、２７２…第４指示領域、２８１…第１指示領域、２８２…第２指示領域、２９１…第１表示領域、２９２…第２表示領域、２９３…第３表示領域、Ｃ…中心、Ｓ１，Ｓ２，Ｓ３，Ｓ４，Ｓ５，Ｓ６，Ｓ７，Ｓ８，Ｓ９，Ｓ１０，Ｓ１１，Ｓ１２，Ｓ１３，Ｓ１４，Ｓ１５，Ｓ１６，Ｓ１７，Ｓ１８…目盛。
【図１】
2018109553.tif 000003
【図２】
2018109553.tif 000004
【図３】
2018109553.tif 000005
【図４】
2018109553.tif 000006
【図５】
2018109553.tif 000007
【図６】
2018109553.tif 000008
【図７】
2018109553.tif 000009
【図８】
2018109553.tif 000010
【図９】
2018109553.tif 000011
【図１０】
2018109553.tif 000012
【図１１】
2018109553.tif 000013
【図１２】
2018109553.tif 000014
【図１３】
2018109553.tif 000015
【図１４】
2018109553.tif 000016
【図１５】
2018109553.tif 000017
【図１６】
2018109553.tif 000018